(57)【要約】【課題】飯を均一に温めることができ、温めた飯に具材を載せて美味しく食べることのできる丼物容器を提案すること。【解決手段】丼物容器１は、飯を詰めるカップ状容器２と具材を詰める皿状容器４と容器蓋６から構成され、飯が詰め込まれたカップ状容器２の開口部には着脱可能な状態で皿状容器４がはめ込まれて当該カップ状容器２の開口部が封鎖され、具材が詰め込まれた皿状容器４の開口部にも着脱可能な状態で容器蓋６がはめ込まれて当該皿状容器４の開口部が封鎖される。カップ状容器２と、それよりも浅い皿状容器４とによって、飯と具材とを分離して詰め込み可能である。電子レンジなどで加熱すると飯と具材とをそれぞれ均一に加熱でき、特に、飯に加熱むらが発生することがない。加熱後に具材を温まった飯に載せて食することができるので、具材の汁が飯にしみこんだ状態とは異なり、食堂などで出される状態と同様の美味しい状態で食べることができる。【選択図】　　　図２
2004131119.tif 000002
【特許請求の範囲】
【請求項１】
飯を詰めるカップ状容器と、
具材を詰める皿状容器と、
容器蓋とを有し、
前記カップ状容器の開口部に着脱可能な状態で前記皿状容器がはめ込まれて当該カップ状容器の開口部が封鎖しており、
前記皿状容器の開口部に着脱可能な状態で前記容器蓋がはめ込まれて当該皿状容器の開口部が封鎖されている丼物容器。
【請求項２】
請求項１において、
前記カップ状容器は、円形底面部と、上側に向けて広がっている円錐台状の胴部と、この胴部の上端縁を規定している外周側に凸状となった円環状リブとを備えており、
前記皿状容器は、円形底面部と、上側に向けて広がっている円錐台状胴部と、この円錐台状胴部の上端縁から外側に折り曲げられて下方に延びている円環状フランジとを備えており、
前記皿状容器における前記円錐台状胴部の上端部分と前記円環状フランジとの間に、前記カップ状容器の前記胴部の前記円環状リブが下側から着脱可能な状態で嵌め込まれていることを特徴とする丼物容器。
【請求項３】
請求項２において、
前記皿状容器の前記円錐台状胴部は、胴部本体部分と、この胴部本体部分の上端縁から外方に広がっている円環状段面部分と、この円環状段面部分の外周縁から上方に延びている円環状部分とを備えており、
前記皿状容器の前記円環状フランジは、前記円環状部分の上端縁から外方に広がっている円環状上端面部分と、この円環状上端面部分の外周縁から下方に延びている上側円環状部分と、この上側円環状部分の下端縁から外方に広がっている外側円環状段面部分と、この外側円環状段面部分の外周縁から下方に延びている下側円環状部分とを備えており、
前記下側円環状部分の内周面における上下方向の中程の部位には、円周方向に向けて所定角度間隔で内側に突出した内側凸部が形成されており、
前記カップ状容器に前記皿状容器がはめ込まれた状態においては、前記カップ状容器の前記円環状リブが、前記内側凸部を乗り越えて、前記外側円環状段面部分に当接する位置まで差し込まれて、前記下側円環状部分の内周面に密接した状態になることを特徴とする丼物容器。
【請求項４】
請求項３において、
前記皿状容器の前記外側円環状段面部分から前記下側円環状部分に亘り、外側に突出した突出部分が形成されており、
前記カップ状容器が前記皿状容器にはめ込まれた状態においては、当該突出部分が前記カップ状容器の前記円環状リブから僅かに浮き上がり、蒸気抜き部分が形成されることを特徴とする丼物容器。
【請求項５】
請求項３または４において、
前記容器蓋は、円盤状の蓋本体部分と、この蓋本体部分の外周縁から下方に延びる内側円環状部分と、この内側円環状部分の下端縁から外側に広がっている円環状下面部分と、この円環状下面部分の外周縁から上方に延びている外側円環状部分と、この外側円環状部分の上端縁から外側に広がっている円環状外周縁部分とを備えており、
前記容器蓋が前記皿状容器にはめ込まれた状態においては、前記容器蓋の前記外側円環状部分が前記皿状容器における前記胴部の前記円環状部分の内側に差し込まれ、前記円環状外周縁部分が前記皿状容器における前記円環状フランジの前記円環状上端面部分に当接していることを特徴とする丼物容器。
【請求項６】
請求項５において、
前記容器蓋の前記内側円環状部分には、円周方向に向けて所定の角度間隔で、外側に突出した補強リブが形成されていることを特徴とする丼物容器。
【請求項７】
請求項５または６において、
前記容器蓋の前記蓋本体部分には、当該蓋本体部分の一部を切断することにより蒸気抜き部が形成されていることを特徴とする丼物容器。
【請求項８】
請求項５、６または７において、
前記容器蓋の前記円環状外周縁部分の一部が外側に突出して、当該容器蓋を前記皿状容器から取り外すために用いる取っ手部分が形成されていることを特徴とする丼物容器。
【請求項９】
請求項１ないし８のうちのいずれかの項において、
前記カップ状容器は紙製であることを特徴とする丼物容器。
【請求項１０】
請求項９において、
前記カップ状容器の前記胴部の外周面は凹凸面とされていることを特徴とする
【発明の詳細な説明】
【０００１】
【発明の属する技術分野】
本発明は、天丼、親子丼などの丼物を弁当として詰めるのに用いる丼物容器に関するものである。
【０００２】
【従来の技術】
天丼、親子丼などの丼物を弁当としてコンビニエンスストアなどの店頭において販売する場合には、陶器製の丼容器の代わりに、プラスチック製のカップ状容器が用いられている。プラスチック製のカップ状容器に詰めた丼物はカップ丼などと呼ばれている。店頭でカップ丼を購入した購入者は、自宅などにおいて電子レンジでそのまま温めてカップ丼を食すことができるので便利である。
【０００３】
【発明が解決しようとする課題】
しかしながら、従来のカップ丼では、飯に具材を載せた状態で詰め込まれているので、具材から浸出した汁が飯に染み込んだ状態となっている。
【０００４】
この状態のカップ丼を電子レンジなどで温めると、温まった飯が水っぽくなってしまい、美味しくないという問題点がある。また、具材を載せた状態で飯を具材とともに温めるので、飯の温まり方にむらができるという問題点もある。
【０００５】
本発明の課題は、飯を均一に温めることができ、しかも、食堂などで出される状態と同様に、炊きたての飯の上に具材を載せた直後の美味しい状態で食することのできる丼物容器を提案することにある。
【０００６】
【課題を解決するための手段】
上記課題を解決するために、本発明の丼物容器は、
飯を詰めるカップ状容器と、
具材を詰める皿状容器と、
容器蓋とを有し、
前記カップ状容器の開口部に着脱可能な状態で前記皿状容器がはめ込まれて当該カップ状容器の開口部が封鎖しており、
前記皿状容器の開口部に着脱可能な状態で前記容器蓋がはめ込まれて当該皿状容器の開口部が封鎖されていることを特徴としている。
【０００７】
本発明の丼物容器では、飯と具材とが分離して詰め込まれており、この状態で電子レンジなどで飯と具材を加熱できる。よって飯および具材を均一に加熱できる。また、加熱後に具材を温まった飯に載せて食することができるので、具材の汁が飯にしみこんだ状態とは異なり、食堂などで出される状態と同様の美味しい状態で食べることができる。
【０００８】
本発明の丼物容器において、前記カップ状容器は、円形底面部と、上側に向けて広がっている円錐台状の胴部と、この胴部の上端縁を規定している外周側に凸状となった円環状リブとを備えた構成とすることができる。
【０００９】
また、前記皿状容器は、円形底面部と、上側に向けて広がっている円錐台状胴部と、この円錐台状胴部の上端縁から外側に折り曲げられて下方に延びている円環状フランジとを備えた構成とすることができる。
【００１０】
この場合、前記皿状容器における前記円錐台状胴部の上端部分と前記円環状フランジとの間に、前記カップ状容器の前記胴部の前記円環状リブが下側から着脱可能な状態で嵌め込まれた構成とされる。
【００１１】
ここで、前記皿状容器の前記円錐台状胴部は、胴部本体部分と、この胴部本体部分の上端縁から外方に広がっている円環状段面部分と、この円環状段面部分の外周縁から上方に延びている円環状部分とを備えた構成とすることができる。
【００１２】
また、前記皿状容器の前記円環状フランジは、前記円環状部分の上端縁から外方に広がっている円環状上端面部分と、この円環状上端面部分の外周縁から下方に延びている上側円環状部分と、この上側円環状部分の下端縁から外方に広がっている外側円環状段面部分と、この外側円環状段面部分の外周縁から下方に延びている下側円環状部分とを備えた構成とすることができる。
【００１３】
この場合には、前記下側円環状部分の内周面における上下方向の中程の部位に、円周方向に向けて所定角度間隔で内側に突出した内側凸部を形成しておけば、前記カップ状容器に前記皿状容器がはめ込まれた状態において、前記カップ状容器の前記円環状リブが、前記内側凸部を乗り越えて、前記外側円環状段面部分に当接する位置まで差し込まれて、前記下側円環状部分の内周面に密接した状態を形成できる。
【００１４】
また、本発明の丼物容器において、電子レンジなどで加熱する際に飯からの蒸気を抜くことができるように構成することが望ましい。そのためには、前記皿状容器の前記外側円環状段面部分から前記下側円環状部分に亘り、外側に突出した突出部分を形成しておき、前記カップ状容器が前記皿状容器にはめ込まれた状態において、当該突出部分が前記カップ状容器の前記円環状リブから僅かに浮き上がり、蒸気抜き部分が形成されるようにすればよい。
【００１５】
次に、本発明の丼物容器における前記容器蓋は、円盤状の蓋本体部分と、この蓋本体部分の外周縁から下方に延びる内側円環状部分と、この内側円環状部分の下端縁から外側に広がっている円環状下面部分と、この円環状下面部分の外周縁から上方に延びている外側円環状部分と、この外側円環状部分の上端縁から外側に広がっている円環状外周縁部分とを備えた構成とすることができる。
【００１６】
この場合、前記容器蓋が前記皿状容器にはめ込まれた状態においては、前記容器蓋の前記外側円環状部分が前記皿状容器における前記胴部の前記円環状部分の内側に差し込まれ、前記円環状外周縁部分が前記皿状容器における前記円環状フランジの前記円環状上端面部分に当接した状態を形成できる。
【００１７】
ここで、前記容器蓋の前記内側円環状部分には、円周方向に向けて所定の角度間隔で、外側に突出した補強リブを形成しておくことが望ましい。
【００１８】
また、加熱時に具材から発生する蒸気を外部に放出できるように、前記容器蓋の前記蓋本体部分には、当該蓋本体部分の一部を切断することにより蒸気抜き部を形成しておくことが望ましい。
【００１９】
さらに、容器蓋の着脱を容易に行い得るようにするためには、前記容器蓋の前記円環状外周縁部分の一部を外側に突出させて、取っ手部分を形成しておくことが望ましい。
【００２０】
一方、本発明の丼物容器において、そのカップ状容器を紙製とすることが望ましい。この場合には、カップ状容器の前記胴部の外周面を凹凸面とすれば、肌触り、風合いが良くなる。
【００２１】
【発明の実施の形態】
以下に、図面を参照して本発明を適用した丼物容器を説明する。
【００２２】
図１は本発明を適用した丼物容器を示す斜視図であり、図２はその分解斜視図であり、図３は図１の丼物容器を下側から見た場合の分解斜視図である。これらの図を参照して説明すると、丼物容器１は、天丼、親子丼など丼物を弁当として詰めるのに用いるものであり、飯を詰めるカップ状容器２と具材を詰める皿状容器４と容器蓋６から構成されている。飯が詰め込まれたカップ状容器２の開口部には着脱可能な状態で皿状容器４がはめ込まれて当該カップ状容器２の開口部が封鎖され、具材が詰め込まれた皿状容器４の開口部にも着脱可能な状態で容器蓋６がはめ込まれて当該皿状容器４の開口部が封鎖される。
【００２３】
この構成の丼物容器１では、カップ状容器２と、それよりも浅い皿状容器４とによって、飯と具材とを分離して詰め込み可能である。この状態で飯および具材が詰め込まれている丼物容器１を電子レンジなどで加熱すると、飯と具材とをそれぞれ均一に加熱することができる。特に、飯に加熱むらが発生することがない。また、加熱後に具材を温まった飯に載せて食することができるので、具材の汁が飯にしみこんだ状態とは異なり、食堂などで出される状態と同様の美味しい状態で食べることができる。
【００２４】
次に、丼物容器１のカップ状容器２は、全体として僅かに上側が広がった円錐台形状をしており、円形底面部２１と、上側に向けて広がっている円錐台状の胴部２２と、この胴部２２の上端縁を規定している外周側に凸状となった円環状リブ２３とを備えた構成となっている。カップ状容器２は紙製であり、胴部２２の外周面は、風合いおよび肌触りを改善するために細かな凹凸面とされている。
【００２５】
皿状容器４は例えばプラスチック成形品であり、円形底面部４１と、上側に向けて広がっている円錐台状胴部４２と、この円錐台状胴部４２の上端縁４２ａから外側に折り曲げられて下方に延びている円環状フランジ５０とを備えた構成となっている。この構成の皿状容器４における円錐台状胴部４２の上端部分と円環状フランジ５０との間に、カップ状容器２の胴部２２の上端の円環状リブ２３が下側から着脱可能な状態で嵌め込み可能となっている。
【００２６】
図４（ａ）および（ｂ）は丼物容器１の半断面図および部分断面図である。これらの図も参照して、さらに詳しく説明すると、皿状容器４の円錐台状胴部４２は、胴部本体部分４３と、この胴部本体部分４３の上端縁４３ａから外方に広がっている円環状段面部分４４と、この円環状段面部分４４の外周縁４４ａから上方に延びている円環状部分４５とを備えた形状をしている。また、皿状容器４の円環状フランジ５０は、胴部４２の円環状部分４５の上端縁４５ａから外方に広がっている円環状上端面部分５１と、この円環状上端面部分５１の外周縁５１ａから下方に延びている上側円環状部分５２と、この上側円環状部分５２の下端縁５２ａから外方に広がっている外側円環状段面部分５３と、この外側円環状段面部分５３の外周縁５３ａから下方に延びている下側円環状部分５４とを備えた形状をしている。
【００２７】
ここで、下側円環状部分５４の内周面における上下方向の中程の部位には、円周方向に向けて所定角度間隔で、内側に突出した横長の内側凸部５６が形成されている。
【００２８】
この構成により、カップ状容器２の開口部に皿状容器４がはめ込まれた状態においては、カップ状容器２の円環状リブ２３が、内側凸部５６を乗り越えて、外側円環状段面部分５３に当接する位置まで差し込まれ、当該円環状リブ２３が下側円環状部分５４の内周面に密接した状態が形成される。
【００２９】
なお、胴部本体部分４３の上端縁部分の外周面には、円周方向に向けて所定角度間隔で、外側に突出した補強用凸部４６が形成されている。
【００３０】
次に、本例の皿状容器４の外側円環状段面部分５３から下側円環状部分５４に亘り、外側に突出した矩形状の突出部分５７が形成されている。本例では、円周方向に向けて所定の角度間隔で複数の突出部分５７が形成されている。カップ状容器２に皿状容器４がはめ込まれた状態においては、当該突出部分５７がカップ状容器２の円環状リブ２３から僅かに浮き上がった状態になる。この結果、皿状容器４によって封鎖されたカップ状容器２の内部は、その胴部本体２２の内周面と皿状容器３の胴部本体部分４３の外周面との間に形成される隙間Ａおよび、突出部分５７によって形成される隙間Ｂを介して外部に連通した状態になる（図４（ｂ）参照）。この部分が、電子レンジで飯を加熱する際の蒸気抜き部分として機能することになる。
【００３１】
次に、丼物容器１における容器蓋６も例えばプラスチック成形品であり、円盤状の蓋本体部分６１と、この蓋本体部分６１の外周縁６１ａから下方に延びる内側円環状部分６２と、この内側円環状部分６２の下端縁６２ａから外側に広がっている円環状下面部分６３と、この円環状下面部分６３の外周縁６３ａから上方に延びている外側円環状部分６４と、この外側円環状部分６４の上端縁６４ａから外側に広がっている円環状外周縁部分６５とを備えた形状をしている。
【００３２】
この構成の容器蓋６を皿状容器４にはめ込んだ状態においては、容器蓋６の外側円環状部分６４が皿状容器４における胴部４２の円環状部分４５の内側に差し込まれ、円環状外周縁部分６５が皿状容器４における円環状フランジ５０の円環状上端面部分５１に当接した状態になり、皿状容器４の開口部が密閉された状態を形成できる（図４（ａ）参照）。
【００３３】
ここで、容器蓋６の内側円環状部分６２には、円周方向に向けて所定の角度間隔で、外側に突出した補強リブ６６が形成されている。また、加熱時に具材から発生する蒸気を外部に放出できるように、容器蓋６の蓋本体部分に、当該蓋本体部分の一部を例えばＵ字状に切断することにより蒸気抜き部６７が形成されている。さらに、容器蓋６の着脱を容易に行うことができるように、容器蓋６の円環状外周縁部分の一部を外側に突出させて、ほぼ三角形状の取っ手部分６８が形成されている。
【００３４】
【発明の効果】
以上説明したように、本発明の丼物容器では、飯と具材を分離した状態で詰め込むことができる。よって、電子レンジなどで飯をむらなく温めることができる。また、食べる直前において温めた飯に皿状容器に詰め込まれている具材を載せるので、具材の汁が飯にしみこんだまま加熱される場合とは異なり、美味しい状態で食することが可能になる。
【００３５】
さらに、飯を詰めたカップ状容器から外部への蒸気抜き部分が形成され、具材を詰めた皿状容器から外部への蒸気抜き部分が形成されているので、適切な状態で飯および具材を温めることができる。
【００３６】
さらにまた、カップ状容器が紙製であり外周面が細かな凹凸面とされているので、従来におけるプラスチック製の容器とは異なり、肌触りや風合いが良いという利点もある。
【図面の簡単な説明】
【図１】本発明を適用した丼物容器の斜視図である。
【図２】図１の丼物容器の分解斜視図である。
【図３】図１の丼物容器を下側から見た状態で示す分解斜視図である。
【図４】図１の丼物容器の半断面図および部分断面図である。
【符号の説明】
１　　丼物容器
２　　カップ状容器
４　　皿状容器
６　　容器蓋
２１　円形底面部
２２　胴部
２３　円環状リブ
４１　円形底面部
４２　円錐台状胴部
４３　胴部本体部分
４４　円環状段面部分
４５　円環状部分
５０　円環状フランジ
５１　円環状上端部分
５２　上側円環状部分
５３　外側円環状部分
５４　下側円環状部分
５６　内側凸部
５７　突出部分
６１　蓋本体部分
６２　内側円環状部分
６３　円環状下面部分
６４　外側円環状部分
６５　円環状外周縁部分
６７　蒸気抜き部
【図１】
2004131119.tif 000003
【図２】
2004131119.tif 000004
【図３】
2004131119.tif 000005
【図４】
2004131119.tif 000006
【手続補正書】
【提出日】平成14年10月17日(2002.10.17)
【手続補正１】
【補正対象書類名】明細書
【補正対象項目名】請求項１０
【補正方法】変更
【補正の内容】
【請求項１０】
請求項９において、
前記カップ状容器の前記胴部の外周面は凹凸面とされていることを特徴とする丼物容器。